(57)【要約】      （修正有）【課題】植木や花及び作物等の根元廻りに生える雑草の除去に適した草取器具を提供する。【解決手段】草取器具１は、直径約３ｍｍの針金状の弾性金属からなる一本の線材を屈曲成形し、第一のＵ字状草引掛部１０と、第二のＵ字状草引掛部２０と、把持部３０とを主要部として構成される。第一のＵ字状草引掛部１０は頂部から側部が開口側先端部に向けて徐々に広くなっている。第一のＵ字状草引掛部１０を土中に差し込んでＵ字状の頂部の付近内側に除去対象の雑草Ｚの根を引掛け根元から雑草を取り除くことができる。【選択図】図４
0003226714.tif 000002
【実用新案登録請求の範囲】
【請求項１】
全体が線材で形成され、土中に差し込んで雑草の根元を引っ掛けて根元から雑草を取り除くための草取器具であって、
略Ｕ字状に成形されたＵ字状草引掛部と、
略平行に形成され、前記Ｕ字状草引掛部の開口側先端部と連設した把持部と、
を備えることを特徴とする草取器具。
【請求項２】
前記Ｕ字状草引掛部は、前記把持部と連設する部分に凸部を有する請求項１に記載の草取器具。
【請求項３】
前記Ｕ字状草引掛部が、前記把持部の両端に形成された請求項１または２に記載の草取器具。
【請求項４】
前記Ｕ字状草引掛部における線材の側面に刃部が形成されている請求項１から３のいずれかに記載の草取器具。
【考案の詳細な説明】
【技術分野】
【０００１】
本考案は、植木や花及び作物等の根元廻りに生える雑草の除去に適した草取器具に関する。
【背景技術】
【０００２】
従来、雑草を取り除くために使用される器具として様々な形状の草取器具が報告されている。例えば、特許文献１には、ノコギリ歯状の凹凸刃縁部を形成した鎌状の草取器具が報告されている。また、特許文献２には、把持部をＬ字に折り曲げた金属棒の一端に設け、他端に、鋼板製で刃面を有する掻き取り部を設けた草掻き状の草取器具が報告されている。また、特許文献３には、曲り部を有する爪の２本以上と握り部（柄）を有する草取り具であって、前記２本以上の爪は、それぞれの隙間が先端部において狭く、前記先端部から前記曲り部に向けて広くなっている熊手状の草取器具が報告されている。
【先行技術文献】
【特許文献】
【０００３】
【特許文献１】実用新案登録第３０４４８１５号公報
【特許文献２】特開２０１７−１３６０５７号公報
【特許文献３】特開２０１５−２２１０１１号公報
【考案の概要】
【考案が解決しようとする課題】
【０００４】
上述した従来の草取器具において、特許文献１の鎌状の草取器具は、雑草の茎や根を刈り取るものであるが、雑草の根が残存し、完全な除去にならない。また、特許文献２の草掻き状の草取器具は地面を削りながら草を取るため、土の抵抗を受けて余計な力を必要とし、同時に土を過剰に掘り起こすという問題もある。また、熊手状の草取器具では、土を過剰に掘り起こすという問題は生じないが、熊手の形状、大きさに適した雑草以外は除去が困難である。また、これらの従来の草取器具では、植木や花及び作物等の根元廻りの狭い場所等では、茎や根を傷付けることもあった。
【０００５】
このように従来の草取器具では、上記課題があるのが実情である。
かかる状況下、本考案の目的は、畑や家庭菜園等に生えた雑草を、過剰に土を掻き出すことなく、根元から容易に引き抜いて除去することができる草取器具を提供することである。
【課題を解決するための手段】
【０００６】
本考案者は、上記課題を解決すべく鋭意研究を重ねた結果、下記の考案が上記目的に合致することを見出し、本考案に至った。
【０００７】
すなわち、本考案は、以下の考案に係るものである。
＜１＞  土全体が線材で形成され、土中に差し込んで雑草の根元を引っ掛けて根元から雑草を取り除くための草取器具であって、略Ｕ字状に成形されたＵ字状草引掛部と、略平行に形成され、前記Ｕ字状草引掛部の開口側先端部と連設した把持部と、を備える草取器具。
＜２＞  前記Ｕ字状草引掛部は、前記把持部と連設する部分に凸部を有する＜１＞に記載の草取器具。
＜３＞  前記Ｕ字状草引掛部が、前記把持部の両端に形成された＜１＞または＜２＞に記載の草取器具。
＜４＞  前記Ｕ字状草引掛部における線材の側面に刃部が形成されている＜１＞から＜３＞のいずれかに記載の草取器具。
【考案の効果】
【０００８】
本考案の草取器具によれば、畑や家庭菜園等に生えた雑草を、過剰に土を掻き出すことなく、根元から容易に引き抜いて除去することができ、効率的に草取りを行うことができる。さらには、本考案の草取器具は、作物等の根元廻りに生える雑草を、作物等の根を傷つけずに除去できるという利点を有する。
【図面の簡単な説明】
【０００９】
【図１】本発明の実施形態に係る草取器具の斜視図である。
【図２】本発明の実施形態に係る草取器具の平面図である。
【図３】本発明の実施形態に係る草取器具の草引掛部の側部の拡大断面図であり、（ａ）は未処理の線材の断面図、（ｂ）は刃部の一例を形成した場合の断面図を示す。
【図４】本発明の実施形態に係る草取器具の使用態様の説明図である。
【考案を実施するための形態】
【００１０】
以下、本考案の実施の形態について、図面を用いて説明するが、本考案は以下の例示物等に限定されるものではなく、本考案の要旨を逸脱しない範囲において任意に変更して実施できる。また、すべての図面において、同様な構成要素には同様の符号を付し、適宜説明を省略する。
【００１１】
図１に本考案の実施形態に係る草取器具１の斜視図、図２に草取器具１の平面図を示す。図１，図２に示すように本考案の実施形態に係る草取器具１は、第一のＵ字状草引掛部１０と、第二のＵ字状草引掛部２０と、把持部３０とを主要部として構成される。本実施形態では、直径約３ｍｍの針金状の弾性金属からなる一本の線材を屈曲成形して草取器具１全体が形成されている。
【００１２】
図１，図２に示すように草取器具１は、第一のＵ字状草引掛部１０と把持部３０とは開口側先端部１１で連接されている。また、第二のＵ字状草引掛部２０と把持部３０とは開口側先端部２１で連接されている。また、第一のＵ字状草引掛部１０は、把持部３０と連設する部分に凸部１４を有する。また、本考案の実施形態に係る草取器具１では、図２に示すように、第一のＵ字状草引掛部１０は、把持部３０に対して斜めになる角度で形成され、第二のＵ字状草引掛部２０は把持部３０に対して垂直となる角度で形成されているが、図示する角度に限定されず、目的に応じて適宜変更できる。
【００１３】
第一のＵ字状草引掛部１０は、略Ｕ字状に成形されており、第一のＵ字状草引掛部１０の開口側先端部１１で把持部３０と連接されている。第一のＵ字状草引掛部１０は、頂部１２から側部１３が開口側先端部１１に向けて徐々に広くなっている。詳しくは図４で後述するが、第一のＵ字状草引掛部１０のＵ字状の頂部１２の付近内側に除去対象の雑草の根を引掛けることができる。
【００１４】
また、後述するように側部１３は草取器具１を横に倒して土の表面の柔らかい草を取り除く際に用いることができる。上述の通り、草取器具１は、直径約３ｍｍの断面形状が円形の針金状の弾性金属からなる線材（断面形状が円形）を屈曲成形して形成されている。本実施形態の側部１３においては、図３（ａ）（図１のＡ−Ａ拡大断面図に相当）に示すように、他の部位と同様に未処理の線材（１３Ａ）であってもよいが、他の実施形態として刃部を形成してもよい。刃部を形成することによって刈り取りながら草を取り除くことができ、根を引き抜きづらい雑草の除去にも使用することができる。刃部の一例を図３（ｂ）（図１のＡ−Ａ拡大断面図に相当）に示す。この実施形態の刃部１３Ｂでは、線材を任意の方法で削ることによって、斜面１３１及び平坦面１３２，１３３を形成して刃部として機能するようにしているが、刃部して機能するのであれば、図３（ｂ）に示す形状以外の任意の形状としてもよい。
また、側部１３の刃部１３は、側部１３の両方に作ってもよいし、右利き用と左利き用として片方のみに作ってもよい。
【００１５】
また、第一のＵ字状草引掛部１０は、把持部３０と連設する部分に凸部１４を有する。第一のＵ字状草引掛部１０は凸部１４を有することにより、凸部１４を形成しない場合と比較してより深く地面に差し込むことが可能である。
【００１６】
本実施形態に係る草取器具１は、頂部１２と凸部１４の長さ（土に差し込める長さに相当）が５ｃｍ程度、開口側先端部１１における幅が５ｃｍ程度に設計されているが、これに制限されず、それぞれ目的に応じて適宜変更でできる。
【００１７】
第二のＵ字状草引掛部２０は、第一のＵ字状草引掛部１０と同様に略Ｕ字状に成形された草引掛部である。第二のＵ字状草引掛部２０は、第一のＵ字状草引掛部１０の反対側に形成され、第二のＵ字状草引掛部２０の開口側先端部２１で把持部３０と連接されている。
【００１８】
第二のＵ字状草引掛部２０は、頂部２２からから側部２３が開口側先端部２１に向けて徐々に広くなっている。本実施形態では、第二のＵ字状草引掛部２０は、第一のＵ字状草引掛部１０より小さく形成され、第二のＵ字状草引掛部２０のＵ字状の頂部２２の付近内側に除去対象の草の根を引掛けることができる。
【００１９】
本実施形態に係る草取器具１では、第二のＵ字状草引掛部２０は、頂部２２と開口側先端部２１の長さ（土に差し込める長さに相当）が３ｃｍ程度、開口側先端部２１における幅が３ｃｍ程度に設計されているが、これに制限されず、それぞれ目的に応じて適宜変更でできる。
【００２０】
本実施形態に係る草取器具１では、図示しないが、草取器具１を構成する線材は、第二のＵ字状草引掛部２０のＵ字状の頂部２２で溶接されているが、草取器具１を構成する線材の別の位置で溶接されていてもよい。
また、第二のＵ字状草引掛部２０は別用途に使用してもよい。例えば、第二のＵ字状草引掛部２０を利用して、苺の手入れでなりひも取りを行うことができる。この場合、開口側先端部２１における幅を親指程度の幅にすることが好ましい。
【００２１】
把持部３０は、草取りを行うときに使用者が把持する部分である。把持部３０は、線材部分が略平行に形成され、その一端で第一のＵ字状草引掛部１０の開口側先端部１１と連設し、他端で第二のＵ字状草引掛部２０の開口側先端部２１と連設している。
把持部３０を構成する線材同士の幅は第一のＵ字状草引掛部１０と第二のＵ字状草引掛部２０に依存し、本実施形態では３〜５ｃｍ程度であるがこれに限定されない。
【００２２】
図４は、本考案に係る草取器具の使用態様の説明図である。以下、図４を用いて本考案に係る草取器具１を使用して雑草Ｚを除去する例について説明する。
【００２３】
まず、使用者は草取器具１の把持部３０を手に持って第一のＵ字状草引掛部１０によって取り除こうとする雑草Ｚの根部分に頂部１２が対応するように地中に差し込む。次いで、第一のＵ字状草引掛部１０が雑草Ｚの根の部分に引っ掛かるように把持部３０を操作しながら引き上げる（図４左参照）。そうすると雑草Ｚの根の部分が第一のＵ字状草引掛部１０に引っ掛けられて引き上げられる（図４右参照）。第一のＵ字状草引掛部１０は頂部１２近傍が湾曲状に形成されているので、雑草Ｚの根が切断されることが回避できる。
【００２４】
上述の通り、第一のＵ字状草引掛部１０は、一本の線材を屈曲成形して形成され、頂部１２から側部１３が開口側先端部１１に向けて徐々に広がる構成であるため、使用の際に過剰に土を掻き出すことなく、雑草Ｚを根元から容易に引き抜いて除去することができる。
【００２５】
図４では、第一のＵ字状草引掛部１０を使用して雑草Ｚを取り除く態様を示しているが、鉢植え等のより小さな雑草を取り除くときには、第二のＵ字状草引掛部２０を使用してもよい（図示せず）。また、さらに根の浅い細かな雑草に対しては草取器具１を横に倒し、第一のＵ字状草引掛部１０の側部１３を利用し、地面をならすようにして根ごと雑草をかき集めるように使用してもよい（図示せず）。
【００２６】
以上の通り、本考案の草取器具を使用することによって、目的とする作物等を傷つけずに様々な大きさの雑草を効率的に除去することができる。
【００２７】
以上、図面を参照して本考案の実施形態について述べたが、今回開示された実施形態はすべての点で例示であって制限的なものではなく、いろいろな変形例が可能なこと、またそうした変形例も本考案の範囲にあることは当業者に理解されるところである。また、今回開示された実施形態において、明示的に開示されていない事項は、例えば、構成物の寸法、重量、体積などは、当業者が通常実施する範囲を逸脱するものではなく、通常の当業者であれば、容易に想定することが可能な値を採用している。
【００２８】
例えば、上記本考案の実施形態の草取器具１は、針金状の弾性を有する金属材で形成されているが、本考案の草取器具は、全体が線材で形成されていればよい。本考案の草取器具は、例えば、剛性（非弾性）の金属線材、プラスチック線材、セラミック線材等で形成されていてもよい。
【００２９】
また、本考案の実施形態の草取器具１は、断面形状が円形の線材からなるが、これに限定されず、断面形状が、円形以外の形状（例えば、楕円形又は多角形線材）を使用することもできる。
【００３０】
また、本考案の実施形態の草取器具１は、その両端にＵ字状草引掛部を有しているが、Ｕ字状草引掛部は、片方のみであってもよい。この場合、図示しないが、Ｕ字状草引掛部を設けた反対側の端部を留め具として長い棒を取り付けて使用してもよい。このような構成とすることで、長い棒を把持部として使用し、使用者は立ったまま作業ができるため、腰痛者であっても作業が容易になる。
【産業上の利用可能性】
【００３１】
本考案の草取器具を使用することによって効率的に雑草の除去ができるため、産業的に有望である。
【符号の説明】
【００３２】
１  草取器具
１０  第一のＵ字状草引掛部
１１  開口側先端部
１２  頂部
１３  側部
１３Ａ  側部（未処理）
１３Ｂ  側部（刃部）
１３１  斜面
１３２，１３３  平坦面
１４  凸部
２０  第二のＵ字状草引掛部
２１  開口側先端部
２２  頂部
２３  側部
３０  把持部
Ｚ  雑草
【図１】
0003226714.tif 000003
【図２】
0003226714.tif 000004
【図３】
0003226714.tif 000005
【図４】
0003226714.tif 000006